(57)【要約】      （修正有）【課題】橋梁用コンクリートプレキャスト床版の連結作業や切離作業を簡便に実現し、橋梁用コンクリートプレキャスト床版の連結部分での荷重に対する目地部の耐久性及び止水性を向上させた橋梁床版用継手金具を提供する。【解決手段】橋梁用ＰＣａ床版１の橋軸方向Ｌの側端部に取り付けられて、被嵌合凹部２１と被嵌合凹部２１の基端側に延設されて橋梁用ＰＣａ床版１内に埋設されるアンカー２２とを有するＣ型継手金具２０と、対峙する２つのＣ型継手金具２０、２０の各被嵌合凹部２１、２１に夫々嵌合される２つの嵌合部３１、３１と、２つの嵌合部３１、３１に両端を接続されると共に中央をコンクリートカッターで切断可能な中間連結部３２とを有するＨ型継手金具３０と、嵌合部３１を被嵌合凹部２１内に嵌合した状態で嵌合部３１を被嵌合凹部２１に対して垂直方向Ｈに固定する固定手段と、を備える橋梁床版用継手金具１０。【選択図】図６
2015101842.tif 000002
【特許請求の範囲】
【請求項１】
橋軸方向に隣接する橋梁用コンクリートプレキャスト床版同士を連結する橋梁床版用継手金具であって、
前記コンクリートプレキャスト床版の橋軸方向の側端部に取り付けられて、先端側に開口部分を有する被嵌合凹部と該被嵌合凹部の基端側に延設されて前記コンクリートプレキャスト床版内に埋設されるアンカーとを有するＣ型継手金具と、
前記隣接するコンクリートプレキャスト床版に夫々取り付けられて対峙する２つの前記Ｃ型継手金具の各被嵌合凹部に夫々嵌合される２つの嵌合部と、該２つの嵌合部に両端を接続されると共に中央をコンクリートカッターで切断可能な中間連結部とを有するＨ型継手金具と、
前記嵌合部を前記被嵌合凹部内に嵌合した状態で、前記嵌合部を前記被嵌合凹部に対して垂直方向に固定する固定手段と、
を備えていることを特徴とする橋梁床版用継手金具。
【請求項２】
前記中間連結部は、両端から中央に向かって縮幅して形成されていることを特徴とする請求項１記載の橋梁床版用継手金具。
【請求項３】
前記固定手段は、前記嵌合部を前記垂直方向に貫通して形成されたボルト挿入孔を通じて、前記被嵌合凹部の底面に螺着されたボルトを備えていることを特徴とする請求項１又は２記載の橋梁床版用継手金具。
【請求項４】
前記Ｃ型継手金具は、前記被嵌合凹部の先端側内面に形成された挿入ガイド部を備え、
前記Ｈ型継手金具は、前記挿入ガイド部に対向して前記嵌合部に形成された被ガイド部を備えていることを特徴とする請求項１乃至３の何れか１項記載の橋梁床版用継手金具。
【請求項５】
前記挿入ガイド部及び前記被ガイド部は、前記垂直方向の下方に向かって前記基端側に傾斜するテーパ状に形成されていることを特徴とする請求項４記載の橋梁床版用継手金具。
【請求項６】
前記挿入ガイド部及び前記被ガイド部は、前記垂直方向に沿って延設されていることを特徴とする請求項４記載の橋梁床版用継手金具。
【請求項７】
前記挿入ガイド部は、前記Ｃ型継手金具の幅方向で開口部分を挟んで両側に夫々設けられ、
前記被ガイド部は、前記Ｈ型継手金具の幅方向で中間連結部に対して両側に夫々設けられていることを特徴とする請求項４乃至６の何れか１項記載の橋梁床版用継手金具。
【請求項８】
前記固定手段は、前記被嵌合凹部の内側壁面に形成されたキー挿入孔に一部挿着されて、前記被嵌合凹部の内側壁面から突出する突出部分で前記嵌合部を押止するせん断キーを備えていることを特徴とする請求項１乃至７の何れか１項記載の橋梁床版用継手金具。
【請求項９】
前記キー挿入孔は、前記Ｃ型継手金具の幅方向中央に配設され、
前記せん断キーは、前記Ｈ型継手金具の幅方向中央で前記嵌合部を押止していることを特徴とする請求項８記載の橋梁床版用継手金具。
【請求項１０】
前記せん断キーは、該せん断キーの挿入方向に向かって厚さが漸次薄いクサビ状に形成されていることを特徴とする請求項８又は９記載の橋梁床版用継手金具。
【請求項１１】
前記Ｃ型継手金具は、前記被嵌合凹部の外周壁面上に幅方向に延設された抜け止め突条部を備えていることを特徴とする請求項１乃至１０の何れか１項記載の橋梁床版用継手金具。
【請求項１２】
前記Ｃ型継手金具は、前記アンカーの先端から幅方向に突設された抜け止め翼部を備えていることを特徴とする請求項１乃至１１の何れか１項記載の橋梁床版用継手金具。
【請求項１３】
前記各コンクリートプレキャスト床版の橋軸方向両端に設けられた２つの前記Ｃ型継手金具は、互いに対向する前記アンカー同士を連結されていることを特徴とする請求項１乃至１２の何れか１項記載の橋梁床版用継手金具。
【請求項１４】
前記Ｃ型継手金具と前記Ｈ型継手金具との間に、グラウト材が充填されることを特徴とする請求項１乃至１３の何れか１項記載の橋梁床版用継手金具。
【発明の詳細な説明】
【技術分野】
【０００１】
本発明は、橋梁の橋軸方向に隣り合う橋梁用コンクリートプレキャスト床版を連結する橋梁床版用継手金具に関するものである。
【背景技術】
【０００２】
河川や渓谷等の上に架設されて道路等を通す橋梁に用いられる橋梁用コンクリートプレキャスト床版は、橋幅方向に並設された複数の主桁上に架け渡されて、橋軸方向に隣り合う橋梁用コンクリートプレキャスト床版同士が相互に複数連結される。
【０００３】
従来より、橋軸方向に隣り合う橋梁用コンクリートプレキャスト床版同士を連結する際には、橋梁用コンクリートプレキャスト床版の接続端部同士を突き合わせることにより形成された継手空間に、橋梁用コンクリートプレキャスト床版内に配筋された上端筋と下端筋の端部が延長されて継手空間内で円弧状に形成された複数のループ鉄筋が配筋され、該ループ鉄筋に橋幅方向に延びるループ内補強鉄筋が締結されて、さらに継手空間内に間詰めコンクリートが打設されるものが知られている（例えば、特許文献１参照）。
【先行技術文献】
【特許文献】
【０００４】
【特許文献１】特開２０１0−２３６２５８号公報。
【発明の概要】
【発明が解決しようとする課題】
【０００５】
しかしながら、上述したように橋梁用コンクリートプレキャスト床版を連結する場合には、施工現場にて橋幅方向に多数設けられたループ継ぎ手にループ内補強鉄筋を締結し、継手空間内に間詰めコンクリートを打設する必要があり、施工現場での橋梁用コンクリートプレキャスト床版の連結作業が煩雑であるという問題があった。
【０００６】
また、車両の通行による経年劣化等によって橋梁用コンクリートプレキャスト床版を定期的に取り替える必要があるところ、連結された橋梁用コンクリートプレキャスト床版同士を切り離す場合には、継手空間を垂直方向に切断して、橋梁用コンクリートプレキャスト床版の側端部から橋幅方向に突出するループ継手の円弧部分を全て切断しなければならず、橋梁用コンクリートプレキャスト床版の切離作業に多くの時間と人員を要するという問題があった。
【０００７】
さらに、上述したような橋梁用コンクリートプレキャスト床版の継手部分は、ループ継手にループ内補強鉄筋を締結して、隣り合う橋梁用コンクリートプレキャスト床版が相対的に位置ズレしないように固定しているであるため、裏面が主桁で橋幅方向に部分的に支持されている橋梁用コンクリートプレキャスト床版は、地面上に敷設される道路用床版と比較して、荷重に起因して曲げや撓みが生じ易く、橋梁用コンクリートプレキャスト床版の連結部分の耐久性や止水性が低下する虞があるという問題があった。
【０００８】
そこで、橋梁用コンクリートプレキャスト床版の連結作業や切離作業を簡便に実現し、橋梁用コンクリートプレキャスト床版の連結部分での荷重に対する耐久性や止水性を向上させるために解決すべき技術的課題が生じてくるのであり、本発明は、この課題を解決することを目的とする。
【課題を解決するための手段】
【０００９】
本発明は、上記目的を達成するために提案するものであり、請求項１記載の発明は、橋軸方向に隣接する橋梁用コンクリートプレキャスト床版同士を連結する橋梁床版用継手金具であって、前記コンクリートプレキャスト床版の橋軸方向の側端部に取り付けられて、先端側に開口部分を有する被嵌合凹部と該被嵌合凹部の基端側に延設されて前記コンクリートプレキャスト床版内に埋設されるアンカーとを有するＣ型継手金具と、前記隣接するコンクリートプレキャスト床版に夫々取り付けられて対峙する２つの前記Ｃ型継手金具の各被嵌合凹部に夫々嵌合される２つの嵌合部と、該２つの嵌合部に両端を接続されると共に中央をコンクリートカッターで切断可能な中間連結部とを有するＨ型継手金具と、前記嵌合部を前記被嵌合凹部内に嵌合した状態で、前記嵌合部を前記被嵌合凹部に対して垂直方向に固定する固定手段と、を備えている橋梁床版用継手金具を提供する。
【００１０】
この構成によれば、Ｈ型継手金具の嵌合部がＣ型継手金具の被嵌合凹部に嵌合されて、Ｈ型継手金具の中間連結部が橋軸方向に隣り合う橋梁用コンクリートプレキャスト床版を跨ぐように設けられた状態で、固定手段が嵌合部を被嵌合凹部内で垂直方向に位置決め固定することにより、隣り合う橋梁用コンクリートプレキャスト床版同士を簡便に連結すると共に、地面に敷設される道路用床版と比較して荷重に起因して曲げや撓みが生じ易い橋梁用床版であっても、橋梁用コンクリートプレキャスト床版の連結部分における耐久性や止水性を向上させることができる。
【００１１】
また、隣り合う橋梁用コンクリートプレキャスト床版間を跨ぐ中間連結部を切断するだけで、橋梁用コンクリートプレキャスト床版同士を切り離せるため、橋梁用コンクリートプレキャスト床版の切離作業を簡便に実現することができる。
【００１２】
請求項２記載の発明は、請求項１記載の発明の構成に加えて、前記中間連結部は、両端から中央に向かって縮幅して形成されている橋梁床版用継手金具を提供する。
【００１３】
この構成によれば、中間連結部は嵌合部に接続された両端に比べて中央付近が縮幅に形成されていることにより、中央連結部の中央付近が切断し易いため、橋梁用コンクリートプレキャスト床版の切離作業を速やかに行うことができ、また、中央連結部の両端が中央付近に比べて拡幅に形成されていることにより、嵌合部と中央連結部との接続部分における応力集中が軽減されるため、橋梁用コンクリートプレキャスト床版の連結部分における耐久性や止水性を向上させることができる。
【００１４】
請求項３記載の発明は、請求項１又は２記載の発明の構成に加えて、前記固定手段は、前記嵌合部を前記垂直方向に貫通して形成されたボルト挿入孔を通じて、前記被嵌合凹部の底面に螺着されたボルトを備えている橋梁床版用継手金具を提供する。
【００１５】
この構成によれば、ボルトが嵌合部を被嵌合凹部内で締結して垂直方向に固定するため、隣り合う橋梁用コンクリートプレキャスト床版同士を簡便に連結すると共に、嵌合部が被嵌合凹部内で位置ズレすることを抑制するため、橋梁用コンクリートプレキャスト床版の連結部分における耐久性や止水性を長期に亘って向上させることができる。
【００１６】
請求項４記載の発明は、請求項１乃至３の何れか１項記載の発明の構成に加えて、前記Ｃ型継手金具は、前記被嵌合凹部の先端側内面に形成された挿入ガイド部を備え、前記Ｈ型継手金具は、前記挿入ガイド部に対向して前記嵌合部に形成された被ガイド部を備えている橋梁床版用継手金具を提供する。
【００１７】
この構成によれば、Ｈ型継手金具の嵌合部がＣ型継手金具の被嵌合凹部に嵌合される際に、被ガイド部が挿入ガイド部に案内されて、嵌合部が被嵌合凹部内で所望の位置に位置決めされるため、Ｈ型継手金具をＣ型継手金具に組み付ける際の位置決め作業が軽減され、隣り合う橋梁用コンクリートプレキャスト床版同士を簡便に連結すると共に、曲げが生じてＨ型継手金具に引張応力が作用する場合であっても、挿入ガイド部が、被ガイド部を支持してＨ型継手金具に作用する引張応力を受けるため、橋梁用コンクリートプレキャスト床版の連結部分における耐久性や止水性を向上させることができる。
【００１８】
請求項５記載の発明は、請求項４記載の発明の構成に加えて、前記挿入ガイド部及び前記被ガイド部は、前記垂直方向の下方に向かって前記基端側に傾斜するテーパ状に形成されている橋梁床版用継手金具を提供する。
【００１９】
この構成によれば、嵌合部の被ガイド部が挿入ガイド部に案内されながら所望の位置に確実に挿入されることにより、橋梁用コンクリートプレキャスト床版の連結部分における耐久性や止水性を向上させることができる。
【００２０】
請求項６記載の発明は、請求項４記載の発明に構成に加えて、前記挿入ガイド部及び前記被ガイド部は、前記垂直方向に沿って延設されている橋梁床版用継手金具を提供する。
【００２１】
この構成によれば、嵌合部の被ガイド部が挿入ガイド部に案内されながら所望の位置に確実に挿入されることにより、橋梁用コンクリートプレキャスト床版の連結部分における耐久性や止水性を向上させることができる。
【００２２】
請求項７記載の発明は、請求項４乃至６の何れか１項記載の発明の構成に加えて、前記挿入ガイド部は、前記Ｃ型継手金具の幅方向で開口部分を挟んで両側に夫々設けられ、前記被ガイド部は、前記Ｈ型継手金具の幅方向で中間連結部に対して両側に夫々設けられている橋梁床版用継手金具を提供する。
【００２３】
この構成によれば、曲げが生じてＨ型継手金具に引張応力が作用する場合であっても、幅方向の両側に夫々設けられた挿入ガイド部が、被ガイド部を支持してＨ型継手金具に作用する引張応力を幅方向で均等に受けるため、Ｈ型継手金具が偏荷重を受けることを回避して、橋梁用コンクリートプレキャスト床版の連結部分における耐久性や止水性を長期に亘って向上させることができる。
【００２４】
請求項８記載の発明は、請求項１乃至７の何れか１項記載の発明の構成に加えて、前記固定手段は、前記被嵌合凹部の内側壁面に形成されたキー挿入孔に一部挿着されて、前記被嵌合凹部の内側壁面から突出する突出部分で前記嵌合部を押止するせん断キーを備えている橋梁床版用継手金具を提供する。
【００２５】
この構成によれば、Ｈ型継手金具の嵌合部がＣ型継手金具の被嵌合凹部に嵌合された状態でせん断キーをキー挿入孔に挿着することにより、嵌合部が被嵌合凹部内で垂直方向に固定されるため、Ｈ型継手金具をＣ型継手金具に組み付ける際の位置決め作業が軽減され、隣り合う橋梁用コンクリートプレキャスト床版同士を簡便に連結すると共に、車両の走行等による床版の振動に起因して嵌合部が被嵌合凹部内で位置ズレすることが抑制されるため、橋梁用コンクリートプレキャスト床版の連結部分における耐久性や止水性を長期に亘って向上させることができる。
【００２６】
請求項９記載の発明は、請求項８記載の発明の構成に加えて、前記キー挿入孔は、前記Ｃ型継手金具の幅方向中央に配設され、前記せん断キーは、前記Ｈ型継手金具の幅方向中央で前記嵌合部を押止している橋梁床版用継手金具を提供する。
【００２７】
この構成によれば、せん断キーが嵌合部の中央を押止することにより、車両の走行等による床版の振動に起因する嵌合部の傾きをせん断キーが抑制するため、橋梁用コンクリートプレキャスト床版の連結部分における耐久性や止水性を長期に亘って向上させることができる。
【００２８】
請求項１０記載の発明は、請求項８又は９記載の発明の構成に加えて、前記せん断キーは、該せん断キーの挿入方向に向かって厚さが漸次薄いクサビ状に形成されている橋梁床版用継手金具を提供する。
【００２９】
この構成によれば、キー挿入孔内に強固に係着したせん断キーが、嵌合部を被嵌合凹部内で垂直方向に固定するため、車両の走行等による床版の振動に起因して嵌合部が被嵌合凹部内で位置ズレすることを抑制し、橋梁用コンクリートプレキャスト床版の連結部分における曲耐久性や止水性を長期に亘って向上させることができる。
【００３０】
請求項１１記載の発明は、請求項１乃至１０の何れか１項記載の発明の構成に加えて、前記Ｃ型継手金具は、前記被嵌合凹部の外周壁面上に幅方向に延設された抜け止め突条部を備えている橋梁床版用継手金具を提供する。
【００３１】
この構成によれば、抜け止め突条部が橋梁用コンクリートプレキャスト床版内に埋設されることにより、橋梁用コンクリートプレキャスト床版の連結部分にせん断力が作用する場合であっても、Ｃ型継手金具が垂直方向に脱落することを抑制できる。
【００３２】
請求項１２記載の発明は、請求項１乃至１１の何れか１項記載の発明の構成に加えて、前記Ｃ型継手金具は、前記アンカーの先端から幅方向に突設された抜け止め翼部を備えている橋梁床版用継手金具を提供する。
【００３３】
この構成によれば、抜け止め翼部が橋梁用コンクリートプレキャスト床版に埋設されることにより、橋梁用コンクリートプレキャスト床版の連結部分がせん断力を受けてＣ型継手金具が引張応力を受ける場合であっても、Ｃ型継手金具が橋軸方向に脱落することを抑制できる。
【００３４】
請求項１３記載の発明は、請求項１乃至１２の何れか１項記載の発明の構成に加えて、前記各コンクリートプレキャスト床版の橋軸方向両端に設けられた２つの前記Ｃ型継手金具は、互いに対向する前記アンカー同士を連結されている橋梁床版用継手金具を提供する。
【００３５】
この構成によれば、橋梁用コンクリートプレキャスト床版の一方端に配設されたＣ型継手金具及び他端側に配設されたＣ型継手金具の各アンカーが、橋梁用コンクリートプレキャスト床版内を横断するように連結されていることにより、Ｃ型継手金具同士が互いに橋軸方向へ相対的に移動することを規制するため、橋梁用コンクリートプレキャスト床版の連結部分が曲げを受けてＣ型継手金具が引張応力を受ける場合であっても、Ｃ型継手金具が橋軸方向に脱落することを抑制できる。
【００３６】
請求項１４記載の発明は、請求項１乃至１３の何れか１項記載の発明の構成に加えて、前記Ｃ型継手金具と前記Ｈ型継手金具との間に、グラウト材が充填される橋梁床版用継手金具を提供する。
【００３７】
この構成によれば、Ｃ型継手金具の被嵌合凹部とＨ型継手金具の嵌合部との隙間にグラウト材が充填されることにより、嵌合部が被嵌合凹部内で所望の位置に配置した状態で固定されるため、車両の走行等による床版の振動に起因して嵌合部が被嵌合凹部内で位置ズレすることを抑制し、橋梁用コンクリートプレキャスト床版の連結部分における耐久性や止水性を長期に亘って向上させることができる。
【発明の効果】
【００３８】
本発明に係る橋梁床版用継手金具は、Ｈ型継手金具の嵌合部がＣ型継手金具の被嵌合凹部に嵌合されて、Ｈ型継手金具の中間連結部が橋軸方向に隣り合う橋梁用コンクリートプレキャスト床版を跨ぐように設けられた状態で、固定手段が嵌合部を被嵌合凹部内で垂直方向に位置決め固定することにより、橋梁用コンクリートプレキャスト床版間に圧縮方向のプレストレスが導入されるため、隣り合う橋梁用コンクリートプレキャスト床版同士を簡便に連結すると共に、地面に敷設される道路用床版と比較して曲げに起因する曲げや撓みが生じがちな橋梁用床版であっても、橋梁用コンクリートプレキャスト床版の連結部分における耐久性や止水性を向上させることができる。
【００３９】
さらに、隣り合う橋梁用コンクリートプレキャスト床版間を跨ぐ中間連結部を切断するだけで、橋梁用コンクリートプレキャスト床版が簡便に切り離されるため、橋梁用コンクリートプレキャスト床版の取替に要する時間を短縮することができる。
【図面の簡単な説明】
【００４０】
【図１】本発明の第１実施例を示す橋梁床版用継手金具を適用した橋梁床版を示す平面図。
【図２】図１に示す橋梁床版の平面図。
【図３】Ｃ型継手金具にＨ型継手金具を組付けた状態を示す平面図。
【図４】Ｃ型継手金具を示す図であり、（ａ）は、平面図、（ｂ）は、ＩＶＢ線断面図、（ｃ）は、正面図。
【図５】Ｈ型継手金具を示す図であり、（ａ）は、平面図、（ｂ）は、側面図、（ｃ）は、正面図。
【図６】図３のＶＩ線断面図。
【図７】Ｃ型継手金具のアンカーをカプラーを介して接続した状態を示す説明図。
【図８】本発明の第２実施例に係る橋梁床版用継手金具を示す図であり、（ａ）は、平面図、（ｂ）は、ＶＩＩＩＢ断面図。
【図９】本発明の第３実施例に係る橋梁床版用継手金具を示す図であり、（ａ）は、平面図、（ｂ）は、ＩＸＢ断面図。
【図１０】本発明の第４実施例に係る橋梁床版用継手金具を示す図であり、（ａ）は、平面図、（ｂ）は、ＸＢ断面図。
【発明を実施するための形態】
【００４１】
本発明は、橋梁用コンクリートプレキャスト床版の連結や切り離しを簡便に実現し、橋梁用コンクリートプレキャスト床版の連結部分での荷重に起因した破損を抑制するという目的を達成するために、橋軸方向に隣接する橋梁用コンクリートプレキャスト床版同士を連結する橋梁床版用継手金具であって、コンクリートプレキャスト床版の橋軸方向の側端部に取り付けられて、先端側に開口部分を有する被嵌合凹部と被嵌合凹部の基端側に延設されてコンクリートプレキャスト床版内に埋設されるアンカーとを有するＣ型継手金具と、隣接するコンクリートプレキャスト床版に夫々取り付けられて対峙する２つのＣ型継手金具の各被嵌合凹部に夫々嵌合される２つの嵌合部と、２つの嵌合部に両端を接続されると共に中央をコンクリートカッターで切断可能な中間連結部とを有するＨ型継手金具と、嵌合部を被嵌合凹部内に嵌合した状態で、嵌合部を被嵌合凹部に対して垂直方向に固定する固定手段と、を備えていることにより実現した。
【実施例】
【００４２】
以下、本発明の第１実施例に係る橋梁床版用継手金具１０について、図面に基づいて説明する。
【００４３】
橋梁床版用継手金具１０が用いられる橋梁用コンクリートプレキャスト床版（以下、「橋梁用ＰＣａ床版」という）１は、図１及び図２に示すように、橋幅方向Ｗに並置された４本の主桁２上に載置して固定されている。
【００４４】
橋梁用ＰＣａ床版１は、橋梁床版用継手金具１０を介して、橋軸方向Ｌに多数連結され、橋梁用ＰＣａ床版１、１間の目地にグラウト材を充填することで道路を構成する。なお、橋梁用ＰＣａ床版１の各種寸法は、例えば、橋軸方向Ｌの長さが２．５ｍ、橋幅方向Ｗの幅が１１．９ｍ、垂直方向Ｈの版厚が０．２３ｍである。
【００４５】
橋梁床版用継手金具１０は、コッター継手であり、図３に示すように、橋梁用ＰＣａ床版１の橋軸方向Ｌの側端部１ａに取り付けられるＣ型継手金具２０と、橋梁用ＰＣａ床版１、１に取り付けられて対峙する２つのＣ型継手金具２０、２０を接続するＨ型継手金具３０と、Ｈ型継手金具３０をＣ型継手金具２０に対して図３の紙面垂直方向に固定する固定手段４０とを備えている。
【００４６】
Ｃ型継手金具２０は、図４に示すように、先端側に開口部分２０ａを有する平面視Ｄ字状の被嵌合凹部２１と、被嵌合凹部２１の基端側で橋軸方向Ｌと一致するＣ型継手金具２０の長手方向Ｌ１に沿って延設されて橋梁用ＰＣａ床版１内に埋設される２本のアンカー２２とを備えている。
【００４７】
Ｃ型継手金具２０の被嵌合凹部２１には、被嵌合凹部２１の先端側内面２１ａに垂直方向Ｈと一致するＣ型継手金具２０の垂直方向Ｈ１の下方に向かって基端側、すなわち、図４の紙面上向きに傾斜するテーパ状に形成された挿入ガイド部２３が設けられている。挿入ガイド部２３は、橋幅方向Ｗと一致するＣ型継手金具２０の幅方向Ｗ１で開口部分２０ａを挟んで両側に夫々設けられている。
【００４８】
被嵌合凹部２１の内側壁面２１ｂには、後述するせん断キー４２を挿入するキー挿入孔２４が形成されている。キー挿入孔２４は、Ｃ型継手金具２０の幅方向Ｗ１の中央に配設されている。
【００４９】
Ｈ型継手金具３０は、図５に示すように、平面視Ｄ字状に形成されてＣ型継手金具２０の被嵌合凹部２１に嵌合される嵌合部３１、３１と、これら嵌合部３１、３１に両端を接続されて橋軸方向Ｌと一致するＨ型継手金具３０の長手方向Ｌ２に延びる中間連結部３２とを備えている。
中間連結部３２は、橋梁用ＰＣａ床版１上を車両が走行して生じる垂直方向Ｈと一致するＨ型継手金具３０の垂直方向Ｈ２下向きのせん断力に起因する曲げモーメントを受ける。
【００５０】
中間連結部３２は、Ｃ型継手金具２０の開口部分２０ａを塞ぐように成形されており、中間連結部３２は、両端から中央に向かって縮幅して形成されている。
これにより、中央連結部３２の中央付近がコンクリートカッターで切断し易く、橋梁用ＰＣａ床版１の切離作業を速やかに行うことができ、また、中央連結部３２の両端が中央付近に比べて拡幅に形成されていることにより、嵌合部３１と中央連結部３２との接続部分における応力集中が軽減される。
【００５１】
嵌合部３１には、挿入ガイド部２３に対向し、挿入ガイド部２３と係合可能に設けられて、垂直方向Ｈの下方に向かって長手方向Ｌ２の両側に傾斜するテーパ状に形成された被ガイド部３３が設けられている。
これにより、嵌合部３１が被嵌合凹部２１に嵌合される際に、被ガイド部３３が挿入ガイド部２３に案内されて、嵌合部３１が被嵌合凹部２１内で所望の位置に位置決めされる。また、挿入ガイド部２３と被ガイド部３３とがテーパ状に形成されていることにより、嵌合部３１が被嵌合凹部２１に嵌合されるにしたがって、隣り合う橋梁用ＰＣａ床版１、１間に圧縮方向のプレストレスが徐々に導入される。
なお、挿入ガイド部２３と被ガイド部３３とは、垂直方向Ｈに沿って延設されても構わない。
【００５２】
被ガイド部３３は、橋幅方向Ｗと一致するＨ型継手金具３０の幅方向Ｗ２で中間連結部３２に対して両側に夫々設けられている。
これにより、橋梁用ＰＣａ床版１の連結部分Ｃにせん断力が作用する際に、幅方向Ｗ２の両側に夫々設けられた挿入ガイド部２３が、被ガイド部３３を支持してＨ型継手金具３０に作用する引張応力を幅方向で均等に受けるため、Ｈ型継手金具３０に偏荷重が作用することを回避できる。
【００５３】
固定手段４０は、図６に示すように、嵌合部３１を垂直方向Ｈに貫通して形成されたボルト挿入孔３１ａを通じて、被嵌合凹部２１の底面２１ｃに螺着されたボルト４１を備えている。また、固定手段４０は、キー挿入孔２４に一部挿着されて、被嵌合凹部２１の内側壁面２１ｂから突出する突出部分４２ａで嵌合部３１を押止するせん断キー４２を備えている。
これにより、ボルト４１とせん断キー４２とが、嵌合部３１を被嵌合凹部２１内で垂直方向Ｈに固定して、隣り合う橋梁用ＰＣａ床版１、１同士を連結する。さらに、車両の走行等による振動に起因してボルト４１の締結力が低下する場合であっても、せん断キー４２は、嵌合部３１が被嵌合凹部２１に対して相対的に動いて位置ズレすることを抑制する。
なお、固定手段４０は、Ｈ型継手金具３０をＣ型継手金具２０に対して固定可能なものであれば良く、ボルト４１とせん断キー４２とを備えていても、ボルト４１とせん断キー４２の何れか一方のみを備えていても構わない。
【００５４】
せん断キー４２は、図３及び図６に示すように、キー挿入孔２４に挿入された状態で、橋幅方向Ｗの中央で嵌合部３１の上面を押止するようになっている。また、せん断キー４２は、せん断キー４２の挿入方向、すなわち、図６の紙面左右両側に向かって厚さが漸次薄いクサビ状に形成されている。
これにより、嵌合部３１は、せん断キー４２によって中央を押止されて、嵌合部３１が被嵌合凹部２１内で傾くことが抑制されている。また、せん断キー４２がキー挿入孔２４から脱落することが抑制されて、嵌合部３１が被嵌合凹部２１内で垂直方向Ｈに確実に固定されるため、嵌合部３１の被嵌合凹部２１内での位置ズレが抑制されている。
【００５５】
Ｃ型継手金具２０の被嵌合凹部２１とＨ型継手金具３０の嵌合部３１との間には、図示しないグラウト材が充填されている。
これにより、嵌合部３１が被嵌合凹部２１内で所望の位置に配置された状態で固定させて、嵌合部３１が被嵌合凹部２１内で位置ズレすることが抑制される。
【００５６】
図７に示すように、橋梁用ＰＣａ床版１の橋軸方向Ｌの両端に設けられた２つのＣ型継手金具２０、２０は、互いに対向するアンカー２２、２２同士が２つのカプラー５０、５０と中間部材５１を介して連結されている。カプラー５０の一方端５０ａは、アンカー２２の先端に形成されたネジ部分に螺合し、カプラー５０の他方端５０ｂは、中間部材５１の端部５１ａを挿入することにより、橋梁用ＰＣａ床版１の橋軸方向Ｌの両側に配置されたＣ型継手金具２０のアンカー２２同士が連結されている。なお、カプラー５０は、中間部材５１を介在させることなく、アンカー２２、２２同士を直接連結しても構わない。
これにより、Ｃ型継手金具２０、２０同士が互いに橋軸方向Ｌに相対的に移動することが規制されるため、橋梁用ＰＣａ床版１の連結部分Ｃがせん断力を受けてＣ型継手金具２０が引張応力を受ける場合であっても、Ｃ型継手金具２０が橋軸方向Ｌに脱落することを抑制できる。
【００５７】
次に、本発明の第２実施例に係る橋梁床版用継手金具について、図８に基づいて説明する。ここで、上述した第１実施例の橋梁床版用継手金具と本実施例の橋梁床版用継手金具とは、Ｃ型継手金具の具体的構成が異なるのみであり、同一の部材については、重複する説明を省略する。
【００５８】
本実施例における橋梁床版用継手金具１０のＣ型継手金具２０は、被嵌合凹部２１の外周壁面２１ｄの上部に橋幅方向Ｗに亘って延設された抜け止め突条部２５を備えている。
これにより、橋梁用ＰＣａ床版１の連結部分Ｃにせん断力が作用する場合であっても、抜け止め突条部２５が橋梁用ＰＣａ床版１に係合するため、Ｃ型継手金具２０が垂直方向Ｈに脱落することを抑制できる。
【００５９】
次に、本発明の第３実施例に係る橋梁床版用継手金具について、図９に基づいて説明する。ここで、上述した第１実施例の橋梁床版用継手金具と本実施例の橋梁床版用継手金具とは、Ｃ型継手金具の具体的構成が異なるのみであり、同一の部材については、重複する説明を省略する。
【００６０】
本実施例における橋梁床版用継手金具１０のＣ型継手金具２０は、アンカー２２の先端から幅方向Ｗ及び垂直方向Ｈに突設された抜け止め翼部２６を備えている。
これにより、橋梁用ＰＣａ床版１の連結部分Ｃがせん断力を受けて、Ｃ型継手金具２０が引張応力を受ける場合であっても、抜け止め翼部２６が橋梁用ＰＣａ床版１に係合するため、Ｃ型継手金具２０が橋軸方向Ｌに脱落することを抑制できる。
【００６１】
次に、本発明の第４実施例に係る橋梁床版用継手金具について、図１０に基づいて説明する。ここで、上述した第３実施例の橋梁床版用継手金具と本実施例の橋梁床版用継手金具とは、固定手段の具体的構成が異なるのみであり、同一の部材については、重複する説明を省略する。
【００６２】
本実施例における橋梁床版用継手金具１０は、せん断キー４２を介して、Ｃ型継手金具２０とＨ型継手金具３０とを固定している。
これにより、ボルトでＨ型継手金具３０をＣ型継手金具２０に締結することなく、Ｈ型継手金具３０をＣ型継手金具２０に簡便に取り付けることができる。
【００６３】
このようにして、上述した本発明に係る橋梁床版用継手金具１０は、Ｈ型継手金具３０の嵌合部３１がＣ型継手金具２０の被嵌合凹部２１に嵌合されて、Ｈ型継手金具３０の中間連結部３２が橋軸方向Ｌに隣り合う橋梁用ＰＣａ床版１、１を跨ぐように設けられた状態で、ボルト４１及びせん断キー４２が嵌合部３１を被嵌合凹部２１内で垂直方向Ｈに位置決め固定することにより、橋梁用ＰＣａ床版１、１間に圧縮方向のプレストレスが導入されるため、隣り合う橋梁用ＰＣａ床版１、１同士を簡便に連結すると共に、地面に敷設される道路用床版と比較してせん断力に起因して曲げや撓みが生じやすい橋梁用ＰＣａ床版１であっても、橋梁用ＰＣａ床版１の連結部分Ｃにおける耐久性や止水性を向上させることができる。
【００６４】
さらに、隣り合う橋梁用ＰＣａ床版１、１間を跨ぐ中間連結部３２を切断するだけで、橋梁用ＰＣａ床版１が簡便に切り離されるため、橋梁用ＰＣａ床版１の取替に要する時間を短縮することができる。
【００６５】
なお、本発明は、本発明の精神を逸脱しない限り種々の改変をなすことができ、そして、本発明が該改変されたものにも及ぶことは当然である。
【符号の説明】
【００６６】
１  ・・・  橋梁用コンクリートプレキャスト床版（橋梁用ＰＣａ床版）
１ａ・・・  側端部
１０  ・・・  橋梁床版用継手金具
２０  ・・・  Ｃ型継手金具
２０ａ・・・開口部分
２１  ・・・  被嵌合凹部
２２  ・・・  アンカー
２３  ・・・  挿入ガイド部
２４  ・・・  キー挿入孔
２５  ・・・  抜け止め突条部
２６  ・・・  抜け止め翼部
３０  ・・・  Ｈ型継手金具
３１  ・・・  嵌合部
３１ａ・・・  ボルト挿入孔
３２  ・・・  中間連結部
３３  ・・・  被ガイド部
４０  ・・・  固定手段
４１  ・・・  ボルト
４２  ・・・  せん断キー
４２ａ・・・  突出部分
Ｌ  ・・・  橋軸方向
Ｗ  ・・・  橋幅方向
Ｈ  ・・・  垂直方向
【図１】
2015101842.tif 000003
【図２】
2015101842.tif 000004
【図３】
2015101842.tif 000005
【図４】
2015101842.tif 000006
【図５】
2015101842.tif 000007
【図６】
2015101842.tif 000008
【図７】
2015101842.tif 000009
【図８】
2015101842.tif 000010
【図９】
2015101842.tif 000011
【図１０】
2015101842.tif 000012